(57)【要約】【課題】  携帯電話端末における通話において、携帯電話端末に接続するだけで、誰でも簡単に音声に所望のＢＧＭ・効果音等の所望の音を合成させて相手に送信することが出来、これにより会話を弾ませたり、ムードを高めたりすることのできる装置を提供せんとするものである。【解決手段】  ＢＧＭ・効果音等の音データを記憶するデータ記憶部と、該データ記憶部に記憶されている所望の音データを選択する選択手段と、送話者の音声を集音するマイクと、前記音データとマイクより集音された送話者の音声を合成するミキサー回路と、携帯電話端末と接続する接続端子並びにこれらを制御する制御部を有し、マイクで集音した通話者の音声に前記選択手段により選択された音データを合成して、接続端子を介し携帯電話端末に送出することにより送話音声に所望の音を合成することを特徴とする。【選択図】      図１
0003108279.tif 000002
【実用新案登録請求の範囲】
【請求項１】
ＢＧＭ・効果音等の音データを記憶するデータ記憶部と、該データ記憶部に記憶されている所望の音データを選択する選択手段と、送話者の音声を集音するマイクと、前記音データとマイクより集音された送話者の音声を合成するミキサー回路と、携帯電話端末と接続する接続端子並びにこれらを制御する制御部を有し、マイクで集音した通話者の音声に前記選択手段により選択された音データを合成し、接続端子を介して携帯電話端末に送出することを特徴とする携帯電話端末用音合成装置。
【請求項２】
データ記憶部に記憶された音データがデジタルデータであり、制御部によりデジタル／アナログ（Ｄ／Ａ）変換された後、送話者の音声と合成されることを特徴とする請求項１記載の携帯電話端末用音合成装置。
【請求項３】
接続端子が携帯電話端末のイヤホン・マイク端子に接続できる構造であることを特徴とする請求項１又は２記載の携帯電話端末用音合成装置。
【請求項４】
接続端子が携帯電話端末に装備された外部拡張端子に接続できる構造であることを特徴とする請求項１又は２記載の携帯電話端末用音合成装置。
【考案の詳細な説明】
【技術分野】
【０００１】
本考案は、携帯電話端末に接続して、送話者の音声に所望のＢＧＭ・効果音等の音を合成して送出する装置に関する。
【背景技術】
【０００２】
従来、電話による通話においてＢＧＭ、効果音等の所望の音を送話者の声に合成して会話を弾ませたり、ムードを高めたりするための装置として、例えば特許第２５４７６７６号公報は電話公衆回線と電話機の間に接続する装置を用いて、会話中に該装置に記憶させてある効果音やマイクより集音した音声を任意の音程に変換したものを回線に流すことにより会話に新たな音響機能をもたせることを開示している。該発明によれば送話者の音声を変化させて送信したり、効果音を付与しつつ送信することは可能であるが、固定電話を対象としており携帯電話端末には応用できないと共に、回線の途中に装置を介在させるため通話音にノイズが発生し、通話品質を落としてしまうという欠点がある。
【０００３】
携帯電話端末において通話中にＢＧＭを再生して音声に合成させるものは特開２００１−６０９９３号公報に開示されているが、これは携帯電話端末内に内蔵されているデータ記憶部に予めデータを記憶させるか、若しくは通信回線を介して音楽データ等のＢＧＭ用データをダウンロードして記憶させることで再生を可能としている。このため、当該機構を備えていない携帯電話端末ではＢＧＭを合成することが出来ず、汎用性がないという欠点がある。
【０００４】
【特許文献１】特許第２５４７６７６号公報
【特許文献１】特開２００１−６０９９３号公報
【０００５】
このように従来より電話の会話にＢＧＭ・効果音等の音を合成して相手に送出し、会話を弾ませたり、ムードを高めたりすることを目的とするものが開示されてきているが、固定電話回線専用のものであったり、専用の携帯電話端末を必要とするものである等、現在普及している各種の携帯電話端末に装着するだけで誰でも手軽に送話者の音声にＢＧＭ・効果音等の所望の音を合成させ相手へ送信することのできる装置ではなかった。
【考案の開示】
【考案が解決しようとする課題】
【０００６】
解決しようとする課題は、携帯電話端末における通話において、携帯電話端末に接続するだけで、誰でも簡単に自分の音声に所望のＢＧＭ・効果音等の音を合成させて送信することが出来、これにより会話を弾ませたり、ムードを高めたりすることのできる装置を提供せんとするものである。
【課題を解決するための手段】
【０００７】
上記課題を解決するためにこの考案が採った手段は、ＢＧＭ・効果音等の音データを記憶するデータ記憶部と、該データ記憶部に記憶されている所望の音データを選択する選択手段と、送話者の音声を集音するマイクと、前記音データとマイクより集音された送話者の音声を合成するミキサー回路と、携帯電話端末と接続する接続端子並びにこれらを制御する制御部を有し、マイクで集音した通話者の音声に前記選択手段により選択された音データを合成し、接続端子を介して携帯電話端末に送出することを特徴とする。
【０００８】
又、データ記憶部に記憶された音データがデジタル信号であり、制御部によりデジタル／アナログ（Ｄ／Ａ）変換された後、送話者の音声と合成されることを特徴とする。
【０００９】
更に、接続端子が携帯電話端末のイヤホン・マイク端子に接続できる構造若しくは携帯電話端末に装備された外部拡張端子に接続できる構造であることを特徴とする。
【考案の効果】
【００１０】
本考案によれば、携帯電話端末に小型軽量な装置を取り付けるだけで、送話者の音声に所望のＢＧＭ・効果音等の音を合成して相手に送出することが出来るようになるため、会話を弾ませたり、ムードを高めたりすることが容易に出来るようになる。
【考案を実施するための最良の形態】
【００１１】
以下に図面を参照しつつこの考案の詳細について説明する。(１)は本考案に係る装置本体であって、現在流通している携帯電話端末に装備されているイヤホン・マイク端子又は外部拡張端子に接続端子(２)を介して携帯電話端末と接続する。装置本体(１)には、ＢＧＭ・効果音等の音データをデジタルデータとして記憶するデータ記憶部(12)、音データ選択回路、マイクにて集音した音と音データを合成するミキサー回路、並びに音データのデジタル／アナログ（Ｄ／Ａ）変換並びにこれらを制御する制御部(11)及び駆動用電源が組み込まれている。尚、データ記憶部に記憶される音データは、アナログ音のままであってもよいが、装置に内蔵できる半導体メモリの容量に限度があるためデジタルデータに変換して記憶させておくのが好ましい。(３)は選択手段であり、例えば選択ダイアルからなり前記ＢＧＭ選択部に音データ番号を与えるためのダイアルスイッチである。(４)はマイクユニットであり、会話用の集音マイク及びＢＧＭ再生ボタン(５)が装備されている。(６)はイヤホンであり相手の声を発する。尚、本装置は後述の音データのミキシング機能を使用しない場合には、従来より市販されているハンズフリー通話用イヤホンセットと同様に、携帯電話端末に接続した状態で通常の通話を行うことも出来る。
【実施例１】
【００１２】
以下、使用に際する詳細について図１Ａを参照しつつ説明する。装置本体(１)より延出した接続端子(2a)を携帯電話に備えられているイヤホン・マイク端子に接続する。従来より流通している携帯電話端末には全てイヤホン及びマイク用端子が一体になった端子が装備されており、該端子に対応できる接続端子を装備した本装置は、携帯電話端末の種類に依存することなく容易に接続することが可能である。尚、通話に際しては従来より提供されてきているハンズフリー通話用のイヤホンセットを接続した場合と同様の方法により行うことが出来、本装置を接続したことによる通話に関する制限はなんら受けるものではない。
【００１３】
次に通話状態において所望のＢＧＭ・効果音等の音を自分の音声に合成し相手に送出する場合には、装置本体(１)に備えた選択手段である選択ダイアル(３)をセットし所望のＢＧＭ番号を選択した後再生ボタン(５)を押下する。再生ボタン(５)の押下を検知した制御部(11)は、データ記憶メモリ(12)から前記選択ダイアル(３)により選択されている音データを取得した後、該データのデジタル／アナログ（Ｄ／Ａ）変換を行う。該アナログに変換された音データは、別途マイクユニット(４)に内蔵されているマイクで集音した送話者（装置を利用しているユーザ）の声とミキサー回路部(13)にて合成され、接続端子(2a)を経由して携帯電話端末へ送出される。携帯電話端末は該合成された音声を相手端末に送信するので、通話相手にはＢＧＭが合成された音声が届く。
【００１４】
前記ＢＧＭ・効果音の合成に際しては、長時間の合成に対応するするために、制御部(11)は音データを全て取得せずに、連続した音データの取得並びにＤ／Ａ変換を行いつつ、マイクにより集音した音声とミキサー回路にて連続的に合成するようにしてもよい。又、通話が一つの音データの収録時間より超過する場合には、音データの終了後に、再度同じ音データを合成する・次の音データを合成する・合成をやめるの３通りの方法が考えられるが、これらについては使用者が予め設定しておくことが可能である。該設定については図示していないモード変更スイッチ等を用いて行うようにするのがよいがこの限りではない。又、選択ダイアル(３)については図面の実施例ではつまみ式のダイアルを使用しているがこれに限定されるものではなく、任意のデータ番号を指定できるものであれば如何なるものであってもよい。
【００１５】
データ記憶メモリ(12)に記憶されているＢＧＭ・効果音等の音データは、初期記憶データとして数種類のＢＧＭや効果音のデータが既に記憶されているが、マイクユニット(４)に備えたマイクにより任意の音声・効果音等を録音・記憶させるようにしてもよい。この場合、音データの追加方法としては、選択ダイアル(３)を録音位置にセットとした後、マイクユニット(４)より所望の音声・音楽・効果等の音を集音させることにより可能となる。集音の開始・終了は再生ボタン(５)を利用することが出来、再生ボタン(５)を押下すると集音が開始され、マイクにより集音された音は制御部(11)にて、アナログ／デジタル（Ａ／Ｄ）変換が行われ、デジタルデータとしてデータ記憶部にデータ番号と共に記憶される。
【００１６】
上記実施例では携帯電話端末への接続には、接続端子としてイヤホン・マイク端子を用いているが、図１Ｂに示すように、携帯電話端末に装備されている外部拡張端子に接続端子(2b)を介して接続するようにしてもよい。この接続方法によっても自分の音声に所望のＢＧＭ・効果音等の音データの合成操作並びにプロセスは前記実施例のものとなんら変わるところはない。尚、この接続方法を用いた場合には、本装置の駆動用電源を外部拡張端子を経由して携帯電話端末より供給させることも可能となり、装置内に駆動用電源を収納する必要がなくなるというメリットもある。
【００１７】
図１Ｃは他の実施例を示し、マイク及びイヤホンをもたない構成となっており、装置本体(１)を携帯電話端末に装備した外部拡張端子に接続端子(2b)を介して接続するだけである。このため通話中の相手の音声は携帯電話端末のスピーカーから発せられ、自身の音声は携帯電話端末のマイクにて集音される。所望のＢＧＭ・効果音等の音の合成方法は前述の実施例のものと同様であり、選択ダイアル(３)を所望のＢＧＭ番号にセットした後、再生ボタン(５)を押下することにより、自分の音声に所望のＢＧＭ・効果音等の音が合成され相手に送出される。尚、この実施例の場合、図示していないが送話者の音声は携帯電話端末機のマイクで集音されるため、本装置は該集音された音声を外部拡張端子より送信前に取得し、音データを合成して端末に送信するプロセスが必要となる。
【図面の簡単な説明】
【００１８】
【図１】本考案に係る装置の外観図を示す図
【図２】ＢＧＭミキシングに係る概念図
【符号の説明】
【００１９】
(１)装置本体
(２)接続端子
(３)選択ダイアル
(４)マイクユニット
(５)再生ボタン
(６)イヤホン
(11)制御部
(12)データ記憶部
(13)ミキサー回路部
【図２】
0003108279.tif 000003
【図１】
0003108279.tif 000004